(57)【要約】【課題】  筐体の体格を増大させることなく原稿台を固定する画像読み取り装置を提供する。【解決手段】  上壁部に開口を有する筐体と、前記開口より面積が大きく前記開口を下側から閉塞する透明な原稿台と、中間部材と、前記原稿台の一辺近傍で前記筐体の内壁に設けられる支持部であって前記支持部と前記原稿台との間に前記中間部材を前記一辺に平行な方向から又は前記原稿台側から挿入可能な支持部とを有し、前記中間部材が挿入されると前記中間部材又は前記支持部の少なくとも一方が前記原稿台を前記上壁部に押圧する押圧手段と、前記筐体に収容され、前記原稿台に載置される原稿を読み取ってディジタル画像を出力する読み取り手段と、を備える。【選択図】    図１
2005326547.tif 000002
【特許請求の範囲】
【請求項１】
上壁部に開口を有する筐体と、
前記開口より面積が大きく前記開口を下側から閉塞する透明な原稿台と、
中間部材と、前記原稿台の一辺近傍で前記筐体の内壁に設けられる支持部であって前記支持部と前記原稿台との間に前記中間部材を前記一辺に平行な方向から又は前記原稿台側から挿入可能な支持部とを有し、前記中間部材が挿入されると前記中間部材又は前記支持部の少なくとも一方が前記原稿台を前記上壁部に押圧する押圧手段と、
前記筐体に収容され、前記原稿台に載置される原稿を読み取ってディジタル画像を出力する読み取り手段と、
を備えることを特徴とする画像読み取り装置。
【請求項２】
前記中間部材は、前記上壁部の下面に当接する第一の当接部及び前記原稿台の下面に当接する第二の当接部を有し、
前記支持部は、前記第一の当接部が前記上壁部の下面に当接し前記第二の当接部が前記原稿台の下面に当接する姿勢で前記中間部材を前記一辺に平行な方向から挿入可能であることを特徴とする請求項１に記載の画像読み取り装置。
【請求項３】
前記中間部材は、前記第一の当接部の端部であって前記中間部材が前記姿勢にあるとき前記一辺に平行な方向の一方の端部から反上壁部側に突出し他方の端部に向かって反上壁部側に傾斜する弾性部を有し、前記姿勢にあるとき前記弾性部が前記支持部に当接して弾性変形し、前記原稿台を前記上壁部に押圧することを特徴とする請求項２に記載の画像読み取り装置。
【請求項４】
前記支持部は第一の係合部を有し、
前記弾性部は前記中間部材が前記姿勢で挿入されると前記第一の係合部に係合する第二の係合部を有していることを特徴とする請求項３に記載の画像読み取り装置。
【請求項５】
前記弾性部は、前記第二の係合部を挟んで前記一方の端部とは逆側に延び前記中間部材が前記姿勢にあるとき前記支持部に反上壁部側を覆われない取っ手部を有していることを特徴とする請求項４に記載の画像読み取り装置。
【請求項６】
前記中間部材は、前記支持部に支持されているとき前記原稿台の前記一辺の端面に当接する第三の当接部を有することを特徴とする請求項１〜５のいずれか一項に記載の画像読み取り装置。
【請求項７】
前記支持部は、前記原稿台の前記一辺の端面に当接する当接部を有することを特徴とする請求項１〜６のいずれか一項に記載の画像読み取り装置。
【請求項８】
前記中間部材は、前記支持部に支持されているとき前記原稿台の前記一辺の端面に交差する端面に当接する第四の当接部を有することを特徴とする請求項１〜７のいずれか一項に記載の画像読み取り装置。
【発明の詳細な説明】
【技術分野】
【０００１】
本発明は、画像読み取り装置に関する。
【背景技術】
【０００２】
従来、イメージスキャナや電子複写機などの画像読み取り装置では、箱形の筐体の上面に原稿を載置するためのプラテンガラスを有する所謂フラットベッド型のものが知られている。
こうした画像読み取り装置の中には、スキャナカバーを用いてプラテンガラスを固定するものが知られている（例えば、特許文献１参照）。特許文献１に記載の発明は画像読み取り装置に適用されるコンタクトガラス取り付け装置に関するものであって、特許文献１に記載のコンタクトガラス取り付け装置によると、プラテンガラスを容易に取り付けることができる。
【０００３】
また、図６に示す様に中間部材８１を用いてプラテンガラス８２を固定する画像読み取り装置も知られている。図示する例の中間部材８１は、プラテンガラス８２の１辺８３近傍で筐体の上壁部８４の下面側から突出した雌螺子部８５に螺設され、プラテンガラス８２を下側から支持するものである。
また、原稿台の１辺近傍で原稿台の上壁部に設けられるフックであって中間部材を原稿台から離間した位置から原稿台に向かってスライド挿入可能なフックを有し、挿入した中間部材により原稿台を固定する方法もある。
【０００４】
【特許文献１】特開平１０−１２６５４２号公報
【発明の開示】
【発明が解決しようとする課題】
【０００５】
しかしながら、特許文献１に記載のコンタクトガラス取り付け装置によると、スキャナカバーという大きな部品を２つ用いるため製造コストが増大するという問題がある。
図６に示す画像読み取り装置はスキャナカバーが不要であるため特許文献１のコンタクトガラス取り付け装置に比べて低コストである。しかしながら、中間部材８１を強固に固定するには雌螺子部８５を上壁部８４からある程度以上突出させる必要があるため、筐体が高さ方向に大きくなるという問題がある。
【０００６】
中間部材を原稿台の１辺に垂直な方向からフックにスライド挿入させる場合は、高さ方向には大きくならないものの、原稿台の上壁部の下面に中間部材をスライドさせるための領域が必要であり、筐体が幅方向に大きくなるという問題がある。
本発明は、かかる問題に鑑みて創作されたものであって、筐体の体格を増大させることなく原稿台を固定する画像読み取り装置を提供することを目的とする。
【課題を解決するための手段】
【０００７】
上記目的を達成するため、本発明に係る画像読み取り装置は、上壁部に開口を有する筐体と、前記開口より面積が大きく前記開口を下側から閉塞する透明な原稿台と、中間部材と、前記原稿台の一辺近傍で前記筐体の内壁に設けられる支持部であって前記支持部と前記原稿台との間に前記中間部材を前記一辺に平行な方向から又は前記原稿台側から挿入可能な支持部とを有し、前記中間部材が挿入されると前記中間部材又は前記支持部の少なくとも一方が前記原稿台を前記上壁部に押圧する押圧手段と、前記筐体に収容され、前記原稿台に載置される原稿を読み取ってディジタル画像を出力する読み取り手段と、を備える。この画像読み取り装置によると、中間部材を螺接しないため雌螺子部が不要であり、高さ方向の大きさを低減できる。また、中間部材を一辺に平行な方向又は原稿台側から挿入できるため、中間部材を原稿台の一辺に垂直な方向から原稿台に向かってスライドさせる空間が不要であり、幅方向の大きさを低減できる。よってこの画像読み取り装置によると、筐体の体格を増大させることなく原稿台を固定できる。
【０００８】
さらに本発明に係る画像読み取り装置では、前記中間部材は、前記上壁部の下面に当接する第一の当接部及び前記原稿台の下面に当接する第二の当接部を有し、前記支持部は、前記第一の当接部が前記上壁部の下面に当接し前記第二の当接部が前記原稿台の下面に当接する姿勢で前記中間部材を前記一辺に平行な方向から挿入可能である。上壁部の下面に当接する第一の当接部を中間部材に設けると、支持部は第一の当接部を上壁部と狭持することにより中間部材を支持できる。このため、支持部は上面視したとき原稿台に重なっている領域がないか又は重なっている領域が小さくて済む。このため原稿台の取り付け作業が容易になる。
【０００９】
さらに本発明に係る画像読み取り装置では、前記中間部材は、前記第一の当接部の端部であって前記中間部材が前記姿勢にあるとき前記一辺に平行な方向の一方の端部から反上壁部側に突出し他方の端部に向かって反上壁部側に傾斜する弾性部を有し、前記姿勢にあるとき前記弾性部が前記支持部に当接して弾性変形し、前記原稿台を前記上壁部に押圧することを特徴とする。この画像読み取り装置によると、筐体の体格を増大させることなく原稿台をより強固に固定できる。
【００１０】
さらに本発明に係る画像読み取り装置では、前記支持部は第一の係合部を有し、前記弾性部は前記中間部材が前記姿勢で挿入されると前記第一の係合部に係合する第二の係合部を有している。この画像読み取り装置によると、第一の係合部と第二の係合部とが係合することにより中間部材を一辺に平行な方向に位置決めできる。
【００１１】
さらに本発明に係る画像読み取り装置では、前記弾性部は、前記第二の係合部を挟んで前記一方の端部とは逆側に延び前記中間部材が前記姿勢にあるとき前記支持部に反上壁部側を覆われない取っ手部を有している。この画像読み取り装置によると、取っ手部を上壁部側に押すことで、原稿台を容易に取り外すことができる。
【００１２】
さらに本発明に係る画像読み取り装置では、前記中間部材は、前記支持部に支持されているとき前記原稿台の前記一辺の端面に当接する第三の当接部を有する。この画像読み取り装置によると、第三の当接部が原稿台の端面に当接することにより、原稿台を当該一辺に直交する方向に位置決めできる。
さらに本発明に係る画像読み取り装置では、前記支持部は、前記原稿台の前記一辺の端面に当接する当接部を有する。この画像読み取り装置によると、当接部が原稿台の端面に当接することにより、原稿台を当該一辺に直交する方向に位置決めできる。
【００１３】
さらに本発明に係る画像読み取り装置では、前記中間部材は、前記支持部に支持されているとき前記原稿台の前記一辺の端面に交差する端面に当接する第四の当接部を有する。この画像読み取り装置によると、第四の当接部が前記一辺の端面に交差する端面に当接することにより、原稿台を当該一辺に平行な方向に位置決めできる。
【発明を実施するための最良の形態】
【００１４】
以下、本発明を実施するための最良の形態を実施例に基づいて説明する。
図２（Ａ）は本発明の一実施例に係る画像読み取り装置としてのイメージスキャナ１の模式図であり、図２（Ｂ）はイメージスキャナ１のブロック図である。イメージスキャナ１は概ね箱形の筐体１１に原稿Ｍを載置するための原稿台１２（以下「プラテンガラス」という）を有する所謂フラットベッド型のイメージスキャナである。なお、図２では支持部及び中間部材を省略している。
【００１５】
原稿カバー１３はヒンジによりプラテンガラス１２の盤面を開放する姿勢からプラテンガラス１２の盤面を覆う姿勢に揺動可能に筐体１１に連結されている。原稿カバー１３はプラテンガラス１２の盤面に載置された原稿Ｍを押さえるとともに、光源１５の放射光以外の光が原稿Ｍを照らすことがないようプラテンガラス１２を覆うものである。
【００１６】
プラテンガラス１２は無色透明なガラス板等で形成されている。プラテンガラス１２は筐体１１の上壁部２３に形成されている矩形の開口２２より面積が大きく、開口２２を下側から閉塞している。プラテンガラス１２の上面と上壁部２３の上面とには段差があり、原稿Ｍはその段差面に当接することによって位置決めされる。
【００１７】
リニアイメージセンサ１８は、フォトダイオード等の受光素子が図２（Ａ）において紙面垂直方向（主走査方向）に直線状に並ぶ姿勢でキャリッジ１９に搭載されている。リニアイメージセンサ１８は可視光、赤外光、紫外光等、所定の波長領域の光を光電変換して得られる電荷を受光素子に一定時間蓄積し、受光素子ごとの受光量に応じた電気信号をＣＣＤ（Charge Coupled Device）、ＭＯＳトランジスタスイッチ等を用いて出力する。
【００１８】
光学系１４は、光源１５、ミラー１６、レンズ１７などで構成されている。光源１５は蛍光管ランプ等で構成されている。ミラー１６及びレンズ１７は光源１５に照射された原稿Ｍの光学像をリニアイメージセンサ１８に結像させる光路を形成する。これにより原稿Ｍの主走査線上の光学像がリニアイメージセンサ１８に結像される。
【００１９】
主走査駆動部２４は、リニアイメージセンサ１８を駆動するために必要な駆動パルスをリニアイメージセンサ１８に出力する駆動回路である。主走査駆動部２４は、例えば同期信号発生器、駆動用タイミングジェネレータ等から構成される。
副走査駆動部２５は、主走査方向に垂直に架設されキャリッジ１９を摺動可能に保持する摺動軸３３、ステッピングモータ２０、駆動ベルト２１、駆動回路などを備えている。ステッピングモータ２０がキャリッジ１９を駆動ベルト２１で牽引することでリニアイメージセンサ１８と原稿Ｍとが主走査方向に直交する副走査方向（図２（Ａ）に示すα方向）に相対移動するため、二次元画像の走査が可能となる。
【００２０】
ＡＦＥ（アナログフロントエンド）部２６は、アナログ信号処理部、Ａ／Ｄ変換器等から構成される。アナログ信号処理部はリニアイメージセンサ１８から出力される電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００２１】
ディジタル画像処理部２７は、ＡＦＥ部２６から出力された出力信号に対し、ガンマ補正、画素補間法による欠陥画素の補間、シェーディング補正、画像信号の鮮鋭化、色空間変換等の処理を行ってディジタル画像を出力する。尚、ディジタル画像処理部２７で施す上記各種の処理は、制御部２９で実行するコンピュータプログラムによる処理に置き換えてもよい。
【００２２】
インタフェース（Ｉ／Ｆ）部２８は、ＲＳ−２３２Ｃ、Ｂｌｕｅｔｏｏｔｈ、ＵＳＢなどの通信規格に準拠して構成され、パーソナルコンピュータ（ＰＣ）などに通信可能に接続されている。
制御部２９は、ＣＰＵ３０、ＲＯＭ３１及びＲＡＭ３２を備えている。ＣＰＵ３０はＲＯＭ３１に記憶されたコンピュータプログラムを実行してイメージスキャナ１の各部を制御する。ＲＯＭ３１は各種のプログラムやデータを記憶しているメモリであり、ＲＡＭ３２は各種のプログラムやデータを一時的に記憶するメモリである。ＲＯＭ３１に記憶する各種のプログラムやデータは所定のサーバからネットワークを介してダウンロードして記憶してもよいし、リムーバブルメモリ等のコンピュータ読み取り可能な記憶媒体から読み出して記憶してもよい。
【００２３】
特許請求の範囲に記載の読み取り手段は、リニアイメージセンサ１８、光学系１４、主走査駆動部２４、副走査駆動部２５、ＡＦＥ部２６、ディジタル画像処理部２７、及び制御部２９に相当する。
次に、支持部について説明する。
図３は、上壁部２３の下面側の斜視図である。図３においてＸ方向は主走査方向、Ｙ方向は副走査方向である。支持部としてのフック５０は上壁部２３の下面５１側に設けられている。フック５０はプラテンガラス１２の副走査方向Ｙに平行な辺１２ｂに平行なもう一方の辺１２ａ（図１参照）の近傍に計２つ設けられている。それら２つのフック５０は辺１２ａの互いに異なる端部近傍に設けられている。また、他方の辺１２ｂ側にはプラテンガラス１２に係合するＬ字型の止め部５２が２つ設けられている。それら２つの止め部５２は辺１２ｂに平行な方向に互いに離間して設けられている。フック５０と後述する中間部材とは特許請求の範囲に記載の押圧手段を構成する。
【００２４】
図４は、フック５０を拡大して示す斜視図である。フック５０は図示するようにＬ字型であり、片側が筐体１１の側壁部５４に一体形成されている。片側を側壁部５４に一体形成するとフック５０の強度を向上できる。フック５０は上壁部２３の下面５１側から下面５１に垂直な方向に板状に延びる軸部５０ａと、軸部５０ａの反上壁部２３側の端部から前述した辺１２ａに平行に延びる板状のアーム部５０ｂとで構成されている。なお、フック５０は中間部材を支持できる構造であればよいため、軸部５０ａは必ずしも必要ではない。具体的には例えばアーム部５０ｂがケースの側壁部５４から上壁部２３に平行に突出してもよい。アーム部５０ｂはもう一方のフック５０から離間する向きに延びている。なお、もう一方のフック５０に向かって延びるようにしてもよい。アーム部５０ｂは上面視したときプラテンガラス１２に重ならないよう形成されている。アーム部５０ｂの先端部と上壁部２３との間には間隔が空いており、このため後述する中間部材をフック５０とプラテンガラス１２との間に辺１２ａに平行な方向から挿入することができる。アーム部５０ｂの所定の位置には、中間部材の弾性部に設けられている第二の係合部に係合する第一の係合部としての係合孔５５が形成されている。
【００２５】
次に、中間部材について説明する。
図５（Ａ）〜図５（Ｃ）は、中間部材の斜視図である。中間部材としてのホルダ５６は、第一の当接部６１、第二の当接部６２、第三の当接部６３、第四の当接部６４、及び弾性部６５を有している。イメージスキャナ１はホルダ５６を２つ有し、それらは対称な形状に形成される。
第一の当接部６１は、概ね矩形の板状の基部６６と、基部６６の一辺に沿って基部６６から垂直に延びる壁部６７とを有している。基部６６の突出した段部６６ａは、ホルダ５６がフック５０に支持されると上壁部２３の下面５１に当接する。ホルダ５６に基部６６を設けると、フック５０は基部６６を上壁部２３と狭持することによりホルダ５６を支持できる。このため前述したように上面視したときアーム部５０ｂがプラテンガラス１２に重ならないようにすることができ、プラテンガラス１２の取り付け作業が容易になる。壁部６７はホルダ５６がフック５０に支持されると側壁部５４に当接する。
【００２６】
弾性部６５は、基部６６の端部であってホルダ５６がフック５０に支持されたときプラテンガラス１２の一辺１２ａに交差する方向の端部６６ｂ（図５（Ｃ）参照）及び６６ｃ（図５（Ａ）参照）のうち、挿入方向側の端部６６ｂ近傍から突出している。端部６６ｂ近傍から突出した弾性部６５は他方の端部６６ｃに向かって基部６６から離間するよう傾斜している。ホルダ５６は、弾性部６５が他方の端部６６ｃに向かって反上壁部２３側に傾斜する姿勢でフック５０に支持される。
【００２７】
また、弾性部６５は、反基部６６側に突出する第二の係合部としての突起６９を有している。従って突起６９はホルダ５６がフック５０に支持されたとき反上壁部２３側に突出する。本実施例では図５（Ａ）においてＸ方向が挿入方向であり、突起６９を設けると突起６９が係合孔５５に係合することによりホルダ５６を挿入方向に位置決めできる。また、突起６９には挿入方向側にテーパ面６９ａが形成されている。突起６９にテーパ面６９ａを形成するとホルダ５６を挿入するときテーパ面６９ａがアーム部５０ｂに摺接して弾性部６５を徐々に弾性変形させるため、突起６９がアーム部５０ｂに引っ掛かり難い。従ってホルダ５６の挿入が容易である。なお、フック５０に突起を設け、弾性部６５に係合孔を設けるようにしてもよい。
【００２８】
また、弾性部６５は、突起６９を挟んで前述した一方の端部６６ｂとは逆側に更に延びる取っ手部７０を有している。取っ手部７０は一方の端部６６ｂから他方の端部６６ｃに向かう向きに延びている。取っ手部７０はホルダ５６がフック５０に支持されたときフック５０に反上壁部２３側を覆われず、作業者が指を掛けるのに十分な長さまで延びている。このため作業者は保守のためにプラテンガラス１２を取り外すとき、取っ手部７０に指を掛けて押すことでホルダ５６を容易に外すことができ、それによりプラテンガラス１２を容易に外すことができる。基部６６に弾性部６５を設けると、筐体１１を高さ方向に大きくすることなく弾性部６５を大きくできる。従って筐体１１の体格を増大させることなくプラテンガラス１２をより強固に固定できる。
【００２９】
第三の当接部６３は、壁部６７に平行に基部６６から板状に延びている。第三の当接部６３の図５（Ｃ）において上側を向く端面６３ａは、ホルダ５６がフック５０に支持されるときアーム部５０ｂに当接する。図５（Ｃ）において面６３ｂは、ホルダ５６がフック５０に支持されるときプラテンガラス１２の一辺１２ａの端面に当接する。
【００３０】
第二の当接部６２は、第三の当接部６３の反基部６６側の端部近傍から基部６６に平行に且つ基部６６から離間する向きに板状に延びている。第二の当接部６２の図５（Ｂ）において上側を向く面６２ａと、基部６６の図５（Ｂ）において上側を向く段部６６ａの面とは、プラテンガラス１２の厚みに相当する距離だけ離間している。このためホルダ５６がフック５０に支持されたとき段部６６ａは上壁部２３に当接し、面６２ａはプラテンガラス１２に当接する。
【００３１】
第四の当接部６４は、基部６６の前述した他方の端部６６ｃ側で、第二の当接部６２に垂直に且つ第三の当接部６３に垂直に板状に形成されている。第四の当接部６４はホルダ５６がフック５０に支持された姿勢にあるときプラテンガラス１２の前述した一辺１２ａに交差する辺の端面に当接する。
【００３２】
次に、プラテンガラス１２の固定について説明する。
図１（Ａ）及び図１（Ｂ）は、プラテンガラス１２を固定した様子を示す斜視図である。
始めに、図３に示すようにプラテンガラス１２の辺１２ｂ側を止め部５２に係合させた状態で開口２２を塞ぐようにプラテンガラス１２を載置する。このとき当接部としての軸部５０ａがプラテンガラス１２の辺１２ａの端面に当接し、プラテンガラス１２は軸部５０ａと止め部５２とによって主走査方向に位置決めされる。なお、このときプラテンガラス１２を両面テープなどで上壁部２３に留めるようにすることが望ましい。
【００３３】
次に、図１（Ａ）及び図１（Ｂ）に示すようにフック５０とプラテンガラス１２との間に、辺１２ａに平行な方向から、第一の当接部６１が上壁部２３に当接し第二の当接部６２がプラテンガラス１２の下面に当接する姿勢でホルダ５６を挿入する。この挿入では、基部６６の端部６６ｂ側から先に挿入する。ホルダ５６を挿入すると弾性部６５はアーム部５０ｂに当接して上壁部２３側に押し返されて弾性変形する。突起６９が係合孔５５に係合可能な位置まで挿入されると、弾性部６５によって反上壁部２３側に押圧されている突起６９は係合孔５５に係合する。このとき弾性部６５は弾性変形していない元の状態まで戻るのではなくまだ弾性変形したままである。ホルダ５６は突起６９が係合孔５５に係合することで辺１２ａに平行な方向、すなわち副走査方向に位置決めされる。このとき第三の当接部６３はプラテンガラス１２の辺１２ａの端面に当接し、壁部６７は筐体１１の側壁部５４に当接する。従ってプラテンガラス１２は最終的に軸部５０ａとホルダ５６とにより主走査方向に位置決めされることになる。また、このとき第四の当接部６４はプラテンガラス１２の端面に当接し、それによりプラテンガラス１２は副走査方向に位置決めされる。ホルダ５６は弾性部６５がアーム部５０ｂに当接して弾性変形することにより、アーム部５０ｂからの反力でプラテンガラス１２を上壁部２３に押圧する。これによりプラテンガラス１２は主走査方向、副走査方向、重力方向のいずれにも位置決めされる。なお、軸部５０ａとプラテンガラス１２との間、第三の当接部６３とプラテンガラス１２との間、及び第四の当接部６４とプラテンガラス１２との間には例えば０．２ｍｍ程度の間隔を設けてもよい。
【００３４】
この状態で上壁部２３を図３に示す状態からひっくり返すとフック５０はホルダ５６を支持し、ホルダ５６の第二の当接部６２はプラテンガラス１２の下面に当接してプラテンガラス１２を支持する。このときホルダ５６の第一の当接部６１は梃子の原理によって上壁部２３に当接する。
以上説明した本発明に係るイメージスキャナ１によると、ホルダ５６を螺接しないため雌螺子部が不要であり、高さ方向の大きさを低減できる。また、ホルダ５６を辺１２ａに平行な方向から挿入できるため、辺１２ａに垂直な方向からプラテンガラス１２に向かってホルダ５６をスライドさせる空間が不要であり、幅方向の大きさを低減できる。よってこの画像読み取り装置によると、プラテンガラス１２を筐体１１の体格を増大させることなく固定できる。
【００３５】
なお、本実施例ではフック５０の軸部５０ａとホルダ５６とがプラテンガラス１２の端面に当接してプラテンガラス１２を主走査方向に位置決めしているが、いずれか一方のみで主走査方向に位置決めするようにしてもよい。
また、本実施例では中間部材としてのホルダ５６が第一の当接部６１を有している場合を例に説明したが、中間部材は第一の当接部を有していなくてもよい。具体的には例えば中間部材は板状の部材であってもよい。この場合、例えば上面視でアーム部５０ｂがプラテンガラス１２に重なる様にし、アーム部５０ｂとプラテンガラス１２との間に中間部材を挿入するようにしてもよいし、第一の当接部６１に相当する部材を上壁部２３側に一体形成してもよい。中間部材を板状に形成すると、中間部材をプラテンガラス１２の一辺に平行な方向ではなくプラテンガラス１２側から挿入可能である。
【００３６】
また、本実施例では弾性部６５を有するホルダ５６がプラテンガラス１２を上壁部２３に押圧するが、フック５０が弾性部として中間部材を介してプラテンガラス１２を押圧するようにしてもよい。
また、本実施例では弾性部６５をホルダ５０に一体形成することにより押圧手段を構成しているが、弾性部６５に替えてバネをホルダ５０に備えることにより押圧手段を構成してもよい。
【００３７】
また、本実施例では画像読み取り装置としてイメージスキャナを例に説明したが、電子複写機に本発明を適用してもよい。
【図面の簡単な説明】
【００３８】
【図１】（Ａ）及び（Ｂ）は本発明の一実施例に係る押圧手段が原稿台を押圧する様子を示す斜視図。
【図２】（Ａ）は本発明の一実施例に係る画像読み取り装置の模式図、（Ｂ）はそのブロック図。
【図３】本発明の一実施例に係る上壁部の下面側の斜視図。
【図４】本発明の一実施例に係る支持部の拡大図。
【図５】（Ａ）〜（Ｃ）は本発明の一実施例に係る中間部材の斜視図。
【図６】従来の中間部材を示す斜視図。
【符号の説明】
【００３９】
１  イメージスキャナ（画像読み取り装置）、１１  筐体、１２  プラテンガラス（原稿台）、１４  光学系（読み取り手段）、１８  リニアイメージセンサ（読み取り手段）、２２  開口、２３  上壁部、２４  主走査駆動部（読み取り手段）、２５  副走査駆動部（読み取り手段）、２６  アナログフロントエンド部（読み取り手段）、２７  ディジタル画像処理部（読み取り手段）、２９  制御部（読み取り手段）、５０  フック（支持部、押圧手段）、５５  係合孔（第一の係合部）、５６  ホルダ（中間部材、押圧手段）、６１  第一の当接部、６２  第二の当接部、６３  第三の当接部、６４  第四の当接部、６５  弾性部、６９  突起（第二の係合部）、７０  取っ手部
【図１】
2005326547.tif 000003
【図２】
2005326547.tif 000004
【図３】
2005326547.tif 000005
【図４】
2005326547.tif 000006
【図５】
2005326547.tif 000007
【図６】
2005326547.tif 000008